(57)【要約】【課題】サイズの異なるパレット上の荷物に対しても１種類で対応可能な荷崩れ防止ネットを提供する。【解決手段】全体がネット状であり、上下端部は開口しており、上端と下端にそれぞれ１個所（１３，１５）及び中間に少なくとも１個所（１４）、紐のリングが水平方向に設定されており、しかも上端の紐リング（１３）はその他の紐リング（１４，１５）よりも直径が小さい。少なくとも前記下端リングに複数の係止部（１９）を設けると共に、これら複数の係止部のうちの２個を選択的に連結具（２１）で着脱可能に連結している。好ましくは、前記中間リング（１４）に対しても複数の係止部（２０）を設けると共に、これら複数の係止部のうちの２個を選択的に連結具（２２）で着脱可能に連結する。【選択図】図２
2008133021.tif 000002
【特許請求の範囲】
【請求項１】
全体がネット状であり、上下端部は開口しており、上端と下端にそれぞれ１個所（１３，１５）及び中間に少なくとも１個所（１４）、紐リングが水平方向に設定されており、しかも上端の紐リング（１３）はその他の紐リング（１４，１５）よりも直径が小さいものである荷崩れ防止ネット（１０）において、
少なくとも前記下端リング（１５）に複数の係止部（１９）を設けると共に、これら複数の係止部（１９）のうちの２個を選択的に連結具（２１）で着脱可能に連結することを特徴とする荷崩れ防止ネット。
【請求項２】
前記中間リング（１４）に対しても複数の係止部（２０）を設けると共に、これら複数の係止部（２０）のうちの２個を選択的に連結具（２２）で着脱可能に連結した請求項１記載の荷崩れ防止ネット。
【請求項３】
全体がネット状であり、上下端部は開口しており、上端と下端にそれぞれ１個所、紐リング（１４Ａ，１５Ａ）が水平方向に設定されている荷崩れ防止ネット（１０Ａ）において、
前記上端リング（１４Ａ）と下端リング（１５Ａ）に複数の係止部（１９Ａ，２０Ａ）を設けると共に、これら複数の係止部のうち水平位置にある２個を選択的に連結具（２１Ａ，２２Ａ）で着脱可能に連結することを特徴とする荷崩れ防止ネット。
【請求項４】
前記係止部（１９，２０；１９Ａ，２０Ａ）が、紐リング（１４，１５；１４Ａ，１５Ａ）をところどころで２個所ずつ緊縛することにより形成される複数の小リングである請求項１ないし３のいずれかに記載の荷崩れ防止ネット。
【請求項５】
前記連結具（２１，２２；２１Ａ，２２Ａ）が、なす環である請求項１ないし４のいずれかに記載の荷崩れ防止ネット。
【請求項６】
不使用時に全体を収納するポケット（１８，１８Ａ）がネット本体に設けられている請求項１ないし５のいずれかに記載の荷崩れ防止ネット。
【発明の詳細な説明】
【技術分野】
【０００１】
本発明は、荷崩れ防止ネットに関する。特に、荷物輸送用のパレットに搭載した荷物の荷崩れを防止するためのネットに関する。
【背景技術】
【０００２】
物流業界における荷物運搬具として、繰り返し使用可能な木製パレットが広く用いられている。このようなパレットは木材をすのこ状に組み合わせて構成されており、上下板の間に設けた空隙にフォークリフトのフォーク部分を挿入し持ち上げることにより、パレット上面に積載した荷物を容易に荷役し輸送することができる。
【０００３】
このパレットに搭載した荷物の輸送時における荷崩れを防止するために、従来、紐掛け、網掛け、シュリンク包装といった荷物固定方法が用いられている。紐掛けは、パレタイジングした荷物を紐で緊締することにより固定する方法である。網掛けは、端縁に複数のフック部を設けた一枚のネット部材を荷物の上に被せ、フック部をパレットに係止させて荷物を固定する方法である（下記特許文献１参照）。シュリンク包装とは、熱可塑性のプラスチックフィルムで荷物を覆った後、熱でプラスチックフィルムを収縮させて荷物を固定する方法である。
【０００４】
さらに本願出願人が共同出願人の１名となっている下記特許文献２では、全体がネット状であり、上下端部は開口しており、上端と下端にそれぞれ１個所及び中間に少なくとも１個所、弾性紐のリングが水平方向に設定されており、しかも上端の弾性紐リングはその他の弾性紐リングよりも直径が小さいことを特徴とする荷崩れ防止ネットを提案している。
【特許文献１】特許第３２３１０２８号
【特許文献２】実用新案登録第３１０７１７７号
【発明の開示】
【発明が解決しようとする課題】
【０００５】
上記従来技術では、ベルトを掛けるのに、一端を支える者と荷物の周囲にベルトを掛ける者の最低二人が必要であって、能率が悪い。さらに、ベルトの端部を握って縛り上げるという作業を行うために、特別に装着作業スペースが必要となり、さらに能率を悪くしていた。
【０００６】
上記特許文献１の技術でもフックを使用して一端を固定する必要があり、作業に熟練を要していた。さらに、不要時のネット収納スペース確保に難点があった。
【０００７】
これらの先行技術の問題点を克服している上記特許文献２の考案は市場で好評を博している。しかし、この特許文献２の考案でも、サイズの異なるパレットに対して別々の荷崩れ防止ネットを用意しておかなければならないという欠点があり、費用面及び管理面で改善の余地があった。現在、パレットの標準サイズとして、Ｍサイズ（パレット１１００ｍｍ×１１００ｍｍ、荷物外周４４００〜４７００ｍｍ、荷物高さ１５００〜１６００ｍｍ）と、Ｓサイズ（パレット９００ｍｍ×１１００ｍｍ、荷物外周３８００〜４２００ｍｍ、荷物高さ１５００〜１６００ｍｍ）がよく使用されている。
【０００８】
本発明は、上記特許文献２の利点は保持しつつ、さらに、サイズの異なるパレット上の荷物に対しても１種類で対応可能な荷崩れ防止ネットを提供することを目的とする。
【課題を解決するための手段】
【０００９】
本発明請求項１の発明は、全体がネット状であり、上下端部は開口しており、上端と下端にそれぞれ１個所及び中間に少なくとも１個所、紐リングが水平方向に設定されており、しかも上端の紐リングはその他の紐リングよりも直径が小さいものである荷崩れ防止ネットにおいて、少なくとも前記下端リングに複数の係止部を設けると共に、これら複数の係止部のうちの２個を選択的に連結具で着脱可能に連結することを特徴とする。
【００１０】
本発明請求項３の発明は、全体がネット状であり、上下端部は開口しており、上端と下端にそれぞれ１個所、紐リングが水平方向に設定されている荷崩れ防止ネットにおいて、前記上端リング及び下端リングに複数の係止部を設けると共に、これら複数の係止部のうち水平位置にある２個を選択的に連結具で着脱可能に連結することを特徴とする。
【発明の効果】
【００１１】
本発明によれば、上記特許文献２と同様、次の効果が得られる。荷崩れ防止ネットにはフック部材が必要ないので、それに関する問題点がすべて解消される。また、本発明によれば、荷物の荷崩れを防ぐのは、水平方向に設定されている紐リングであり、バンド部材でいちいち絞るような作業は必要ない。したがって、誰でも熟練を要することなく、作業協力者なしで一人で荷物を覆うことができし、特別な作業スペースも必要ない。また、フィルムのシュリンク包装と異なり、何度でもリサイクル使用が可能であるので、廃棄物処理の問題がない。
【００１２】
さらに、本発明独自の効果として、紐リングに複数の係止部を設けると共に、これら複数の係止部のうちの２個を選択的に連結具で着脱可能に連結するので、これにより、紐リングの周長を調節することができる。その結果、サイズの異なるパレット状の荷物に対しても１種類で対応が可能となる。
【００１３】
請求項１の発明の特別な効果として、上端の紐リングはその他の紐リングよりも直径が小さいので、次のような効果が得られる。
（１）荷崩れ防止ネットを荷物にかぶせて下端部を下に引き下ろすだけでよく、ネットの後端を調節しながら絞り上げる煩雑な作業が必要なくなる。
（２）荷崩れ防止ネットの上下が分かりやすいので、間違えることがない。
【００１４】
また、請求項２の発明の特別な効果として、構造が簡単であって、ネットの上下を考慮することなく、より簡易迅速にネットがけができる。
【発明を実施するための最良の形態】
【００１５】
本発明において、ネットの目は菱形とすることが伸縮性を発生させる上で好ましい。ネットとしては、ラッセル編みのネットが好ましく、編み目の大きさは１０×１０ｍｍ〜２０×２０ｍｍが好ましく、特に好ましいのは、１５×１５ｍｍ程度である。大きさ、太さ、強度、等は異なるが、みかんを入れたネットの袋を想定してもらえればよい。上下に引っ張ると、横方向に締め付け、横方向に力が加わると上下に締め付けることができる。これにより、いろいろな方向からの力による荷崩れを防ぐことができる。
【００１６】
本発明において、紐リングにおける紐は、例えばゴム紐のような弾性紐でもよいし、弾性のないテープ状又は円筒状の紐でもよい。その長さや強度は、予め実験的に測定して最適値を決定しておけばよい。パレットの寸法はＪＩＳ規格で定められているので、一度最適値を決定しておけば、そのまま使用することができる。
【００１７】
本発明では、不使用時に収納するためのポケットをネット本体に設けておくことが好ましい。そうすることにより、不使用時には小さくたためるので保管に便利である。
【００１８】
前記請求項１の発明では、紐リングは、上端及び下端にそれぞれ１本配置するほか、中間にも少なくとも１本、全体では２〜４本配置する。
【００１９】
下端リングに設ける複数の係止部としては、例えば、下端リングをところどころで２個所ずつ縛ることにより形成される、複数の小リングが好ましい。下端リングとは別体の複数のフックを使用してもよいが、金属のフックはネットを傷つけやすいので好ましくない。
【００２０】
これら複数の係止部のうちの２個を選択的にかつ着脱可能に連結する連結具としては、ワンタッチで着脱可能なものが好ましく、例えば、なす環（ナスカン）と呼ばれる連結具を使用することができる。なす環は楕円形状で、開閉可能な開口があり、ここを使って前記係止具と固定させることができる。その他、複数の係止部のうちの２個を選択的にかつ着脱可能に連結できるものであれば、どのようなものでもよく、場合によれば１本の短い紐で結ぶだけでもよい。
【００２１】
好ましくは、下端リングだけでなく、中間リングに対しても、複数の係止部を設けると共に、これら複数の係止部のうちの２個を選択的に連結具で着脱可能に連結する。係止具及び連結具は下端リングに使用したものと同じものを使用することができる。
【００２２】
上端リングはもともと小さなもので、パレットサイズとあまり関係ないので、通常であれば係止具及び連結具を設ける必要はないが、特に必要があれば設けてもよい。
【００２３】
前記請求項３の発明では、紐リングは、上端及び下端にそれぞれ１本配置する。必要があれば中間にも設けてもよい。さらに、上端リング及び下端リングの双方に係止具及び連結具を設ける。
【実施例１】
【００２４】
以下、添付の図面に基づき、本発明の実施例を説明する。
【００２５】
図１は、本発明第１実施例に係る荷崩れ防止ネット１０の展開状態の斜視図である。図２はパレット１１上の荷物１２にこのネット１０をかぶせた状態の斜視図である。（ａ）は比較的に大きなＭサイズ（パレット１１００ｍｍ×１１００ｍｍ）に取り付けた状態で、（ｂ）は比較的に小さなＳサイズ（パレット１１００ｍｍ×９００ｍｍ）に取り付けた状態である。図３は図２（ｂ）の部分拡大図である。
【００２６】
荷崩れ防止ネット１０は、全体がネット状であり、上端、中間、下端の３個所において、紐リング１３、１４、１５を水平方向に設定している。ネットの上下は開口している。
【００２７】
上端の紐リング１３は、中間及び下端の紐リング１４，１５よりも直径が小さい。このようにすることにより、次のような効果がある。
（１）荷崩れ防止ネットを荷物にかぶせて下端部を下に引き下ろすだけでよく、ネットの後端を調節しながら絞り上げる煩雑な作業が必要なくなる。
（２）荷崩れ防止ネットの上下が分かりやすいので、間違えることがない。
【００２８】
パレット上の荷物１２にこのネット１０をかぶせるには単に下部開口を広げ、荷物１２の上からかぶせ、ネット下部を引き下ろすようにすればよい。紐リングには、後記する長さ調節具が設けられているので、適度な張力を持って荷物を押さえつけることができる。そのため、誰でも熟練を要することなく、荷物を覆うことができる。
【００２９】
荷崩れ防止ネットの側部にはポケット１８が設けられているので、不使用時にはその中に収納可能である。
【００３０】
下端紐リング１５及び中間紐リング１４には、ところどころで２個所ずつ縛ることにより形成される、複数の小リング１９，２０がそれぞれ設けられている。
【００３１】
図２（ｂ）及び図３に示すように、これらの小リング１９、２０は、紐リングを小さく丸めて束ね、その結束部を金属のＣリング２３で緊縛することにより、形成されている。さらに、その結束部は「インシュロック」と呼ばれる封緘具２４を使用してネット糸と結合されている。
【００３２】
これらの小リング１９，２０のうちの２個を選択的に連結具２１，２２で着脱可能に連結することにより、紐リング１５，１４の長さを調節することができる。小リングの数を増やせば、きめ細かな長さ調節を行うことができる。
【００３３】
ここで使用している連結具２１，２２は、なす環と呼ばれるものである。図３の拡大図に示したのは、中間リング１４に取り付けたなす環２２である。このなす環２２は、２つのリング２２ａ，２２ｂを両端に有し、レバー２２ｃによって開閉可能な開口２２ｄがあり、ここを開放して係止具２０と固定させた上で閉鎖することができる。連結を解除するには、なす環の開口２２ｄを開放して係止具２０を取り出せばよい。
【実施例２】
【００３４】
図４は、本発明の第２実施例である。（ａ）は比較的に大きなＭサイズ（パレット１１００ｍｍ×１１００ｍｍ）に取り付けた状態で、（ｂ）は比較的に小さなＳサイズ（パレット１１００ｍｍ×９００ｍｍ）に取り付けた状態である。図３は図２（ｂ）の部分拡大図である。
【００３５】
第１実施例との相違点は、中間紐リングよりも上部がないことである。荷物を人間に例えれば、第２実施例のネット１０Ａは「腹巻き」のようなものである。したがって、第１実施例で「中間リング１４」と呼んでいた紐がここでは「上部リング１４Ａ」となる。その他の点は、第１実施例と同じであるので、第１実施例の符号に「Ａ」を付けてその詳細な説明を省略する。
【００３６】
このネット１０Ａの縦方向長さは、パレットや荷物の大きさにより何種類か用意しておくことが好ましい。例えば、３００ｍｍ、５００ｍｍ、７００ｍｍ、１ｍの４種類くらいあれば、どのような用途にも応じられる。
【００３７】
第２実施例の発明によれば、構造が簡単であって、ネット１０Ａの上下を考慮することなく、より簡易迅速にネットがけができる、という効果が得られる。
【図面の簡単な説明】
【００３８】
【図１】本発明第１実施例に係る荷崩れ防止ネットの展開状態の斜視図である。
【図２】パレット上の荷物にこのネットをかぶせた状態の斜視図である。パレット１１上の荷物１２にこのネット１０をかぶせた状態の斜視図である。（ａ）は比較的に大きなＭサイズに取り付けた状態で、（ｂ）は比較的に小さなＳサイズに取り付けた状態である。
【図３】図２（ｂ）の部分拡大図である。
【図４】本発明第２実施例係る荷崩れ防止ネットをパレット上の荷物にかぶせた状態の斜視図である。（ａ）は比較的に大きなＭサイズに取り付けた状態で、（ｂ）は比較的に小さなＳサイズに取り付けた状態である。
【符号の説明】
【００３９】
１０，１０Ａ  荷崩れ防止ネット
１１１１Ａ，  パレット
１２   荷物
１３   ネット上端の紐リング
１４   ネット中央の紐リング
１５   ネット下端の紐リング
１４Ａ  ネット上端の紐リング
１５Ａ ネット下端の紐リング
１６   頂上布
１７   連結紐
１８   ポケット
１９，２０；１９Ａ，２０Ａ  小リング（係止具）
２１，２１；２１Ａ，２２Ａ  なす環（連結具）
【図１】
2008133021.tif 000003
【図２】
2008133021.tif 000004
【図３】
2008133021.tif 000005
【図４】
2008133021.tif 000006